(57)【要約】【課題】偏心，面振れ，偏心及び面振れの各検査用光ディスクを共用部品で作製でき、生産コスト及び生産効率に優れた検査用光ディスクを提供する。【解決手段】センターコア１Ａとディスク本体１Ｂとを備え、センターコア１Ａのコア側肉薄部１Ａ２とディスク本体１Ｂの本体側肉薄部１Ｂ２とを接着して形成し、このディスクの回転時に所定量の偏心，面振れ，偏心及び面振れが生じるようにセンターコア１Ａとディスク本体１Ｂとを偏心，傾斜または偏心及び傾斜させつつ接着して、偏心検査用光ディスク２（図２），面振れ検査用光ディスク３（図３），偏心及び面振れ検査用光ディスク４（図７）を形成する。【選択図】  図２
2004206853.tif 000002
【特許請求の範囲】
【請求項１】
光ディスクに情報を記録再生する光ディスク装置の調整または計測を行うために用いる検査用光ディスクにおいて、
第１の外径を有して第１の面とその裏面である第２の面とが平行に形成された円形板の内側に前記第１の外径と同心のスピンドルホールを有すると共に外周部に外周端から内周側へと所定幅で形成した第１の肉薄部を有するリング状のセンター部と、
前記第１の面に前記第１の外径より大なる第１の内径で、また、前記第２の面に前記第１の外径より小なる第２の内径で開口する開口部を有し、前記第２の面側の前記開口部の端部から外周側へと前記第１の肉薄部と相補的な形状で形成した第２の肉薄部を有し、前記センター部を前記開口部に前記第１の面側から着脱自在に収容するリング状ディスクであって、前記第２の肉薄部よりも外周側の前記第１の面または前記第２の面上に検査用データを記録した情報トラック領域が前記リング状ディスクの外径と同心で形成されたディスク本体とを備え、
前記スピンドルホールの中心と前記ディスク本体の中心とが所定量偏心するように、前記第１の肉薄部と前記第２の肉薄部とが接着されて偏心検査用光ディスクとされて成ることを特徴とする検査用光ディスク。
【請求項２】
光ディスクに情報を記録再生する光ディスク装置の調整または計測を行うために用いる検査用光ディスクにおいて、
第１の外径を有して第１の面とその裏面である第２の面とが平行に形成された円形板の内側に前記第１の外径と同心のスピンドルホールを有すると共に外周部に外周端から内周側へと所定幅で形成した第１の肉薄部を有するリング状のセンター部と、
前記第１の面に前記第１の外径より大なる第１の内径で、また、前記第２の面に前記第１の外径より小なる第２の内径で開口する開口部を有し、前記第２の面側の前記開口部の端部から外周側へと前記第１の肉薄部と相補的な形状で形成した第２の肉薄部を有し、前記センター部を前記開口部に前記第１の面側から着脱自在に収容するリング状ディスクであって、前記第２の肉薄部よりも外周側の前記第１の面または前記第２の面上に検査用データを記録した情報トラック領域が前記リング状ディスクの外径と同心で形成されたディスク本体とを備え、
前記検査用光ディスクの回転時に前記情報トラック領域が形成された面が前記センター部の前記第１の面及び前記第２の面に対して所定量の面振れを生じるように、前記第１の肉薄部と前記第２の肉薄部とが接着されて面振れ検査用光ディスクとされて成ることを特徴とする検査用光ディスク。
【請求項３】
光ディスクに情報を記録再生する光ディスク装置の調整または計測を行うために用いる検査用光ディスクにおいて、
第１の外径を有して第１の面とその裏面である第２の面とが平行に形成された円形板の内側に前記第１の外径と同心のスピンドルホールを有すると共に外周部に外周端から内周側へと所定幅で形成した第１の肉薄部を有するリング状のセンター部と、
前記第１の面に前記第１の外径より大なる第１の内径で、また、前記第２の面に前記第１の外径より小なる第２の内径で開口する開口部を有し、前記第２の面側の前記開口部の端部から外周側へと前記第１の肉薄部と相補的な形状で形成した第２の肉薄部を有し、前記センター部を前記開口部に前記第１の面側から着脱自在に収容するリング状ディスクであって、前記第２の肉薄部よりも外周側の前記第１の面または前記第２の面上に検査用データを記録した情報トラック領域が前記リング状ディスクの外径と同心で形成されたディスク本体とを備え、
前記スピンドルホールの中心と前記ディスク本体の中心とが所定量偏心すると共に、前記検査用光ディスクの回転時に前記情報トラック領域を形成した面が前記センター部の前記第１の面及び前記第２の面に対して所定量の面振れを生じるように、前記第１の肉薄部と前記第２の肉薄部とが接着されて偏心及び面振れ検査用光ディスクとされて成ることを特徴とする検査用光ディスク。
【発明の詳細な説明】
【０００１】
【発明の属する技術分野】
本発明は、光ディスクに情報を記録再生する光ディスク装置の製造工程等において各種の調整または計測を行うために用いられる検査用光ディスクに関する。
【０００２】
【従来の技術】
コンパクトディスク（ＣＤ）やデジタル多用途ディスク（ＤＶＤ）等を記録再生する光ディスク装置の光ディスクピックアップの製造工程における調整または計測には、検査用光ディスクが使用されている。
この検査用光ディスクとしては、ディスクのスピンドルホール位置をディスク中心からオフセット（偏心）させてディスクの回転に伴なって情報トラックが半径方向に振れるようにした偏心検査用光ディスクや、スピンドルクランプ面が情報トラック面とオフセット角をなし、ディスクの回転に伴なって情報トラック面が回転軸方向に振れるようにした面振れ検査用光ディスクが用いられる。
【０００３】
これらの検査用光ディスクの例として特許文献１に記載されたものがある。
この特許文献１に記載された検査用光ディスクの内、偏心検査用光ディスクは、予めセンターホールを所定量だけ偏心させて形成したセンターコアをディスク本体に接着して形成されるものであり、面振れ検査用光ディスクは、表面とその裏面とを非平行に形成した面振れリングをディスク本体に接着して形成されるものである。
【０００４】
【特許文献１】
実開平４−８６２２６号公報
【０００５】
【発明が解決しようとする課題】
ところで、従来の偏心検査用光ディスクは、予めセンターホールをディスク中心から所定量だけ偏心させて形成したり、あるいは、上述したように、予めセンターホールを偏心させたセンターコアをディスク本体に接着して形成していた。
また、従来の面振れ検査用光ディスクは、表面と裏面とを非平行に形成して厚みを変化させて形成したり、あるいは、上述したように、予め表面と裏面とを非平行に形成したセンターコアをディスク本体に接着して形成していた。
【０００６】
そのため、偏心検査用光ディスクにおいて、偏心量が異なるディスクが必要な場合、その偏心量毎にディスク自体あるいはセンターコアを作成する必要があった。
また、面振れ検査用光ディスクにおいて、面振れ量が異なるディスクが必要な場合、その面振れ量毎にディスク自体あるいはセンターコアを作成する必要があった。
従って、従来の検査用光ディスクは、生産コストが高く、生産効率が低く、また、センターコアを偏心検査用光ディスクと面振れ検査用光ディスクとの共通部品として使用することができないものであった。
【０００７】
そこで本発明は、異なる種類の検査用光ディスク（偏心検査用光ディスク，面振れ検査用光ディスク，偏心及び面振れ検査用光ディスク）を、共用部品（センターコア及びディスク本体）を用いてそれぞれ作製することが可能で、生産コスト及び生産効率に優れた検査用光ディスクを提供することを目的とする。
【０００８】
【課題を解決するための手段】
上述した課題を解決するために、本発明は手段として次の構成を有する。
即ち、請求項１は、光ディスクに情報を記録再生する光ディスク装置の調整または計測を行うために用いる検査用光ディスクにおいて、
第１の外径Ｄ３を有して第１の面とその裏面である第２の面とが平行に形成された円形板の内側に前記第１の外径Ｄ３と同心のスピンドルホール１Ａ１を有すると共に外周部に外周端から内周側へと所定幅で形成した第１の肉薄部１Ａ２を有するリング状のセンター部１Ａと、前記第１の面に前記第１の外径Ｄ３より大なる第１の内径Ｄ４で、また、前記第２の面に前記第１の外径Ｄ３より小なる第２の内径Ｄ２で開口する開口部１Ｂ４を有し、前記第２の面側の前記開口部１Ｂ４の端部から外周側へと前記第１の肉薄部１Ａ２と相補的な形状で形成した第２の肉薄部１Ｂ２を有し、前記センター部１Ａを前記開口部１Ｂ４に前記第１の面側から着脱自在に収容するリング状ディスクであって、前記第２の肉薄部１Ｂ２よりも外周側の前記第１の面または前記第２の面上に検査用データを記録した情報トラック領域１Ｂ１が前記リング状ディスクの外径Ｄ５と同心で形成されたディスク本体１Ｂとを備え、前記スピンドルホール１Ａ１の中心と前記ディスク本体１Ｂの中心とが所定量偏心するように、前記第１の肉薄部１Ａ２と前記第２の肉薄部１Ｂ２とが接着されて偏心検査用光ディスク２とされて成ることを特徴とする検査用光ディスクである。
また、請求項２は、光ディスクに情報を記録再生する光ディスク装置の調整または計測を行うために用いる検査用光ディスクにおいて、
第１の外径Ｄ３を有して第１の面とその裏面である第２の面とが平行に形成された円形板の内側に前記第１の外径Ｄ３と同心のスピンドルホール１Ａ１を有すると共に外周部に外周端から内周側へと所定幅で形成した第１の肉薄部１Ａ２を有するリング状のセンター部１Ａと、前記第１の面に前記第１の外径Ｄ３より大なる第１の内径Ｄ４で、また、前記第２の面に前記第１の外径Ｄ３より小なる第２の内径Ｄ２で開口する開口部１Ｂ４を有し、前記第２の面側の前記開口部１Ｂ４の端部から外周側へと前記第１の肉薄部１Ａ２と相補的な形状で形成した第２の肉薄部１Ｂ２を有し、前記センター部１Ａを前記開口部１Ｂ４に前記第１の面側から着脱自在に収容するリング状ディスクであって、前記第２の肉薄部１Ｂ２よりも外周側の前記第１の面または前記第２の面上に検査用データを記録した情報トラック領域１Ｂ１が前記リング状ディスクの外径Ｄ５と同心で形成されたディスク本体１Ｂとを備え、前記検査用光ディスクの回転時に前記情報トラック領域１Ｂ１が形成された面が前記センター部１Ａの前記第１の面及び前記第２の面に対して所定量の面振れｈ１を生じるように、前記第１の肉薄部１Ａ２と前記第２の肉薄部１Ｂ２とが接着されて面振れ検査用光ディスク３とされて成ることを特徴とする検査用光ディスクである。
また、請求項３は、光ディスクに情報を記録再生する光ディスク装置の調整または計測を行うために用いる検査用光ディスクにおいて、
第１の外径Ｄ３を有して第１の面とその裏面である第２の面とが平行に形成された円形板の内側に前記第１の外径Ｄ３と同心のスピンドルホール１Ａ１を有すると共に外周部に外周端から内周側へと所定幅で形成した第１の肉薄部１Ａ２を有するリング状のセンター部１Ａと、前記第１の面に前記第１の外径Ｄ３より大なる第１の内径Ｄ４で、また、前記第２の面に前記第１の外径Ｄ３より小なる第２の内径Ｄ２で開口する開口部１Ｂ４を有し、前記第２の面側の前記開口部１Ｂ４の端部から外周側へと前記第１の肉薄部１Ａ２と相補的な形状で形成した第２の肉薄部１Ｂ２を有し、前記センター部１Ａを前記開口部１Ｂ４に前記第１の面側から着脱自在に収容するリング状ディスクであって、前記第２の肉薄部１Ｂ２よりも外周側の前記第１の面または前記第２の面上に検査用データを記録した情報トラック領域１Ｂ１が前記リング状ディスクの外径Ｄ５と同心で形成されたディスク本体１Ｂとを備え、前記スピンドルホール１Ａ１の中心と前記ディスク本体１Ａの中心とが所定量偏心すると共に、前記検査用光ディスクの回転時に前記情報トラック領域１Ｂ１を形成した面が前記センター部１Ａの前記第１の面及び前記第２の面に対して所定量の面振れを生じるように、前記第１の肉薄部１Ａ２と前記第２の肉薄部１Ｂ２とが接着されて偏心及び面振れ検査用光ディスクとされて成ることを特徴とする検査用光ディスクである。
【０００９】
【発明の実施の形態】
以下、本発明の実施の形態につき、その好ましい実施例を図１〜図７を用いて説明する。
図１は、本発明の検査用光ディスク各部の寸法形状を示すための部分縦断面図であり、
図２は、本発明の検査用光ディスクを偏心検査用光ディスクとして形成したときの各部の寸法形状を示すための部分縦断面図であり、
図３は、本発明の検査用光ディスクを面振れ検査用光ディスクとして形成したときの各部の寸法形状を示す部分縦断面図であり、
図４は、本発明の検査用光ディスクを偏心検査用光ディスク及び面振れ検査用光ディスクとしてそれぞれ形成する際の偏心調整及び面振れ調整に用いられる製作装置の平面図であり、
図５は、図４の製作装置を用いた偏心調整を説明するための図であり、
図６は、図４の製作装置を用いた面振れ調整を説明するための図であり、
図７は、本発明の検査用光ディスクを偏心及び面振れ検査用光ディスクとして形成したときの各部の寸法形状を示すための部分縦断面図である。
【００１０】
本発明の検査用光ディスク１は、略リング状のセンターコア１Ａ（図１（ｂ）参照）と、このセンターコア１Ａの全体を一方の面側（矢印ａ方向、面１Ｂａ側）から着脱自在に収容する開口部（以下、収容ホールと称する）１Ｂ４を形成したリング状のディスク本体１Ｂ（図１（ａ）参照）とを備えて成るものである。
【００１１】
センターコア１Ａは、最大外径を大径Ｄ３とし、この大径Ｄ３よりも小径の小なる外径Ｄ１からなる段部を有して表面と裏面とが平行に形成されたリング状部材である。
この段部の外側には、鍔状のコア側肉薄部１Ａ２が所定幅（Ｄ３−Ｄ１）／２で形成されている。
大径Ｄ３と小なる外径Ｄ１とスピンドルホール１Ａ１とは、同心となるように形成されている。
またセンターコア１Ａの表面の、スピンドルホール１Ａ１とコア側肉薄部１Ａ２との間の部分に、後述する製作装置３０のクランパ３０Ｂにより両面側から挟持される環状のクランピング領域１Ａ３を有している。
【００１２】
ディスク本体１Ｂは、外径Ｄ５を有する円板状であって、一方の表面に外径Ｄ４で開口し、他方の面にこの外径Ｄ４より小さい外径Ｄ２で開口する収容ホール１Ｂ４を備えている。そして、この収容ホール１Ｂ４には、外径センターコア１Ａのコア側肉薄部１Ａ２の形状と相補的な形状で形成した本体側肉薄部１Ｂ２が形成されており（本体側肉薄部１Ｂ２は収容ホール１Ｂ４の周縁部に設けられている）、この本体側肉薄部１Ｂ２よりも外側の一方の面（表面）または他方の面（裏面）に、検査用データを記録した情報トラック領域１Ｂ１がディスク本体１Ｂの外径Ｄ５と同心の環状に形成されている。
【００１３】
検査用光ディスク１は、センターコア１Ａのコア側肉薄部１Ａ２とディスク本体１Ｂの本体側肉薄部１Ｂ２とを接着して成るディスクである。
そして、この検査用光ディスク１は、ディスクの回転時に所定量の偏心が生じるようにセンターコア１Ａとディスク本体１Ｂとを位置決めして接着することによって偏心検査用光ディスク２（図２）として形成される。
また、ディスクの回転時に所定量の面振れが生じるようにセンターコア１Ａとディスク本体１Ｂとを位置決めして接着することによって面振れ検査用光ディスク３（図３）として形成される。
さらに、このディスクの回転時に所定量の偏心と所定量の面振れとの両方が生じるようにセンターコア１Ａとディスク本体１Ｂとを位置決めして接着することによって偏心及び面振れ検査用光ディスク４（図７）として形成されるものである。
【００１４】
上述した、センターコア１Ａとディスク本体１Ｂとの各寸法は以下のように定める。
センターコア１Ａのコア側肉薄部１Ａ２の幅を、（センターコア大径Ｄ３−センターコア小径Ｄ１）／２とし、
ディスク本体１Ｂの本体側肉薄部１Ｂ２の幅を、（ディスク本体大径Ｄ４−ディスク本体小径Ｄ２）／とする。
ここで、
Ａ：偏心時の、コア側肉薄部１Ａ２と本体側肉薄部１Ｂ２とを接着するときの最小接着幅
Ｅ：偏心時の、ディスク中心点Ｂに対する偏心量
Ｓ１：偏心時の、センターコア小径固着部とディスク本体小径穴固着部とを接着するときの最小接着剤注入幅、
Ｓ２：偏心時の、センターコア大径固着部とディスク本体大径穴固着部とを接着するときの最小接着剤注入幅、
φａ：接着剤５の注入ノズル径
Ｈ２：ディスク本体厚み
とすれば、ディスク本体小径Ｄ２，センターコア大径Ｄ３及びディスク本体大径Ｄ４の各寸法は、それぞれ、
Ｄ２＝Ｄ１＋２（Ｓ１＋Ｅ）
Ｄ３＝Ｄ１＋２（Ｓ１＋Ｅ）＋２（Ａ＋Ｅ）
Ｄ４＝Ｄ１＋２（Ｓ１＋Ｅ）＋２（Ａ＋Ｅ）＋２（Ｓ２＋Ｅ）
と表される。このとき、
▲１▼  Ｓ１＞φａ，Ｓ２＞φａ
▲２▼  Ａ≧Ｈ２／２
▲３▼  Ｅ≦Ｈ２／４
を満足するように各寸法が設定されることが好ましい。
【００１５】
▲１▼は、接着剤５の注入時にノズルを塗布面に可能な限り接近可能とするものであり、これにより接着剤５の充填が良好になる。使用するノズルの外径φａは０．１ｍｍ〜１ｍｍ程度のものが良好であり、約０．４ｍｍのものが特に最適である。
▲２▼は、十分な接着強度を確保するために望ましい範囲である。
▲３▼は、後述するようにＨ２＝１．２ｍｍであって、検査に必要な最大偏心量３００μｍを包含する設定である。
【００１６】
一方、
ｈ１：面振れ時の、面振れ基準点Ｃに対する面振れ量
ｈ２：面振れ時の、センターコア大径固着部（厚みＨ４）に対する面振れ量
ｈ３：面振れ時の、センターコア大径固着部とディスク本体固着部とを接着した接着厚み
Ｈ５：偏心時の、センターコア大径固着部とディスク本体固着部とを接着した接着厚み
ｒ１：ディスク中心点Ｂから面振れ基準点Ｃまでの半径
とすれば、コア側肉薄部厚みであるセンターコア大径固着部厚みＨ４と，ディスク本体厚みＨ２から本体側肉薄部厚みを減算してなるディスク本体大径穴固着部厚みＨ３との各寸法はそれぞれ、
Ｈ４＝Ｈ３−Ｈ５
Ｈ５＝ｈ２＋ｈ３
ｈ２／ｈ１＝Ｄ３／２ｒ１
Ｈ２／２≦Ｈ３≦（Ｈ２／２＋Ｈ５）
と表され、これらを満足するように各寸法が設定されることが好ましい。
【００１７】
センターコア小径Ｄ１は、クランピング領域１Ａ３の外径よりも外側に位置する径を有していてもよく、ディスク本体大径Ｄ４は情報トラック領域１Ｂ１の内径よりも内側に位置する径を有するものでもよい。
【００１８】
また、センターコア厚みＨ１がディスク本体厚みＨ２に等しくてもよく、ディスク本体大径穴固着部厚みＨ３がディスク本体厚みＨ２の２分の１であっても良い。
【００１９】
次に、センターコア１Ａ及びディスク本体１Ｂの製作について、＜センターコアの作製＞、＜ディスク本体の作製＞の順に具体的に説明する。
【００２０】
＜センターコアの作製＞
センターコア１Ａは、ポリカーボネート材を使用し、表面と裏面とを平行に、また、スピンドルホール１Ａ１が大径Ｄ３と小なる外径Ｄ１と同心で両表面と直交するように切削加工により作製した。
【００２１】
＜ディスク本体の作製＞
ディスク本体１Ｂの種類としては、直径（外径Ｄ５）１２０ｍｍ、厚さ１．２ｍｍの１枚基板からなるＣＤ（コンパクトディスク）対応のディスク本体と、直径（外径Ｄ５）１２０ｍｍで厚さ０．６ｍｍの基板を２枚貼り合わせて厚さ１．２ｍｍとしたＤＶＤ（デジタル多用途ディスク）対応のディスク本体との２種類がある。
【００２２】
ＣＤ対応のディスク本体１Ｂは、透明な１．２ｍｍ厚の１枚基板であり、ディスク本体１Ｂの情報読み取り面ｃの裏面には検査用データに応じて形成された情報ピット面（情報トラック領域１Ｂ１）が形成されている。また、この情報ピット面上には反射膜層と保護膜層とが積層されている。
【００２３】
ＤＶＤ対応のディスク本体１Ｂは、透明な０．６ｍｍ厚の基板で、情報読み取り面裏側の情報ピット面が反射膜層と保護膜層で覆われたものである。そして、その面を挟むように０．６ｍｍ厚の基板を貼り合わせて１．２ｍｍ厚に形成されて
いる。
【００２４】
いずれのディスク本体１Ｂも、センターコア１Ａと同じ材料を用いて形成される。
ＣＤ対応のディスク本体１Ｂは、ディスク本体小径Ｄ２とディスク本体大径Ｄ４と有する収容ホール１Ｂ４が切削加工により形成されている。
一方、ＤＶＤ対応のディスク本体１Ｂは、ＣＤ対応のディスク本体１Ｂにおける収容ホール１Ｂ４と同一の加工方法で形成されるか、あるいは、ディスク本体小径Ｄ２とディスク本体大径Ｄ４とをそれぞれ有する０．６ｍｍ厚の基板を貼り合わせることで形成され、本実施例は、前者の方法で形成されている。
【００２５】
上述したセンターコア１Ａとディスク本体１Ｂとの互いの位置を製作装置３０を用いて設定し、センターコア１Ａのコア側肉薄部１Ａ２とディスク本体１Ｂの本体側肉薄部１Ｂ２とを接着剤５で接着し、各用途の検査用光ディスク、即ち、偏心検査用光ディスク２，面振れ検査用光ディスク３，偏心及び面振れ検査用ディスク７を製作する。
次に図４〜図７を用いてこの製作方法について製作装置を含めて詳述する。
【００２６】
＜製作装置３０について＞
製作装置３０は、図５に示すように、センターコア１Ａを水平に保持するセンターコアテーブル３０Ａと、センターコアクランパー３０Ｂと、検査用光ディスク２，３，４をディスク中心点Ｂに対する指定の偏心量Ｅで保持できると共に面振れ基準点Ｃ（図３，図７参照）に対する指定の面振れ量ｈ１に傾斜保持できるディスクテーブル３０Ｃと、ディスククランパー３０Ｄとからなる。
【００２７】
ディスクテーブル３０Ｃには、偏心検査用光ディスク２の偏心量Ｅを調整できる４つの偏心調整スケール３０Ｅ〜３０Ｈが、互いに９０度となる等角度間隔で螺合している。
これら４つの偏心調整スケール３０Ｅ〜３０Ｈの調整により、任意の偏心量Ｅを得ることができる。
【００２８】
また、ディスクテーブル３０Ｃには、面振れ検査用光ディスク３の面振れ量ｈ１（図３，図７参照）を調整できる２つの面振れ調整スケール３０Ｉ，３０Ｊが螺合している。
これらの面振れ調整スケール３０Ｉ，３０Ｊの調整により、基準点Ｂを支点として図６の矢印ｂｂ方向に傾斜させて任意の面振れ量ｈ１を得ることができる。
【００２９】
次に、＜偏心検査用光ディスク２の作製＞，＜面振れ検査用光ディスク３の作製＞及び＜偏心及び面振れ検査用光ディスク４の作製＞の作製工程を詳述する。
【００３０】
＜偏心検査用光ディスク２の作製＞（図２，図４，図５参照）
（工程１）センターコア１Ａを、その大径Ｄ３側を下にして（即ち、図２に示す面１Ａａが下面となるように）製作装置３０のセンターコアテーブル３０Ａの上面に水平にセットする。
（工程２）水平にセットしたセンターコア１Ａを、センターコアクランパー３０Ｂでその上面から固定する。
（工程３）ディスク本体１Ｂを、その大径Ｄ４側を下にして（即ち、図２に示す面１Ｂａが下面となるように）製造３０のディスクテーブル３０Ｃ上面に水平にセットする。
（工程４）４つの偏心調整スケール３０Ｅ〜３０Ｈを調整し、ディスク本体１Ｂを、その中心がセンターコア１Ａの中心に対して指定偏心量Ｅだけ偏心するように移動させる。
（工程５）ディスク本体１Ｂをディスククランパー３０Ｄで固定する。
（工程６）センターコア１Ａのコア側肉薄部１Ａ２と、ディスク本体１Ｂの本体側肉薄部１Ｂ２との間に、ＵＶ（紫外線硬化型）接着剤５をφａのノズル（図示せず）を用いて注入し、その後硬化させて両者を接着する。
以上の（工程１）〜（工程６）により、偏心検査用光ディスク２を作製する。
【００３１】
＜面振れ検査用光ディスク３の作製＞（図３，図４，図６参照）
（工程１Ａ）センターコア１Ａを、その大径Ｄ３側を下にして（即ち、図３に示す面１Ａａが下面となるように）製作装置３０のセンターコアテーブル３０Ａ上面に水平にセットする。
（工程２Ａ）水平にセットしたセンターコア１Ａを、センターコアクランパー３０Ｂでその上面から固定する。
（工程３Ａ）ディスク本体１Ｂを、その大径Ｄ４側を下にして（即ち、図２に示す面１Ｂａが下面となるように）製作装置３０のディスクテーブル３０Ｃ上面に水平にセットする。
（工程４Ａ）４つの偏心調整スケール３０Ｅ〜３０Ｈを調整し、ディスク本体１Ｂの中心とセンターコア１Ａの中心との偏心が許容範囲内となるように位置合わせをする。基本的には、ディスク本体１Ｂとセンターコア１Ａとを同心に配置する。
（工程５Ａ）ディスク本体１Ｂが載置されたディスクテーブル３０Ｃを、面振れ調整スケール３０Ｉ，３０Ｊを調整することで傾斜させ、ディスク本体１Ｂの面振れ基準点Ｃに対する面振れ量ｈ１が指定量となるようにする。
（工程６Ａ）ディスク本体１Ｂをディスククランパー３０Ｄで固定する。
（工程７Ａ）センターコア１Ａのコア側肉薄部１Ａ２と、ディスク本体１Ｂの本体側肉薄部１Ｂ２との間に、ＵＶ（紫外線硬化型）接着剤５をφａのノズル（図示せず）を用いて注入し、その後硬化させて両者を接着する。
以上の（工程１Ａ）〜（工程７Ａ）により面振れ検査用光ディスク３を作製する。
【００３２】
＜偏心及び面振れ検査用光ディスク４の作製＞（図４〜図７参照）
（工程１Ｂ）センターコア１Ａを、その大径Ｄ３側を下にして（即ち、図７に示す面１Ａａが下面となるように）製作装置３０のセンターコアテーブル３０Ａ上面に水平にセットする。
（工程２Ｂ）水平にセットしたセンターコア１Ａを、センターコアクランパー３０Ｂでその上面から固定する。
（工程３Ｂ）ディスク本体１Ｂを、その大径Ｄ４側を下にして（即ち、図７に示す面１Ｂａが下面となるように）製作装置３０のディスクテーブル３０Ｃ上面に水平にセットする。
（工程４Ｂ）４つの偏心調整スケール３０Ｅ〜３０Ｈを調整し、ディスク本体１Ｂを、その中心がセンターコア１Ａの中心に対して指定偏心量Ｅだけ偏心するように移動させる。
（工程５Ｂ）ディスク本体１Ｂが載置されたディスクテーブル３０Ｃを、面振れ調整スケール３０Ｉ，３０Ｊを調整することで傾斜させ、ディスク本体１Ｂの面振れ基準点Ｃに対する面振れ量ｈ１が指定量となるようにする。
（工程６Ｂ）ディスク本体１Ｂをディスククランパー３０Ｄで固定する。
（工程７Ｂ）センターコア１Ａのコア側肉薄部１Ａ２と、ディスク本体１Ｂの本体側肉薄部１Ｂ２との間に、ＵＶ（紫外線硬化型）接着剤５をφａのノズル（図示せず）を用いて注入し、その後硬化させて両者を接着する。
上述の（工程４Ｂ）と（工程５Ｂ）との順は逆であってもよい。
以上の（工程１Ｂ）〜（工程７Ｂ）により、偏心及び面振れ検査用光ディスク４を作製する。
【００３３】
上述した作製方法によって作製した検査用光ディスク１は、▲１▼，▲２▼及び▲３▼の検査用光ディスク、即ち、
▲１▼  スピンドルホール１Ａ１の位置をディスク中心Ｂの位置からオフセット（偏心）させ、ディスクの回転に伴なって情報トラック１Ｂ１が半径方向に振れるようにした偏心検査用光ディスク２。
▲２▼  スピンドルクランプ面（クランピング領域１Ａ３）と情報トラック面（情報トラック領域１Ｂ１）とにオフセット角を与え、ディスクの回転に伴なって情報トラック面が回転軸方向に振れるようにした面振れ検査用光ディスク３。
▲３▼  スピンドルホール１Ａ１の位置をディスク中心Ｂの位置からオフセットさせると共にスピンドルクランプ面と情報トラック面とにオフセット角を与え、ディスクの回転に伴って情報トラック１Ｂ１が半径方向に振れると共に回転軸方向に振れるようにした偏心及び面振れ検査用光ディスク４。
を、それぞれ同一のセンターコア１Ａ及びディスク本体１Ｂを用いて作製できるものであり、部品を共用化でき、生産効率に優れる検査用光ディスクである。
【００３４】
本発明の実施例は、上述した構成に限定されるものではなく、本発明の要旨を逸脱しない範囲において種々の変更が可能なものである。
接着剤はＵＶ硬化型に限るものではない。他の接着剤の例として、硬化収縮の少ないエポキシ系接着剤を使用することができる。
また、上述したように、情報トラック領域１Ｂ１は、ディスク本体１Ｂの表面、裏面のどちらの面に形成されていてもよい。また、それぞれの面に異なる検査データを記録し、それぞれの検査データに対応した調整または計測に使用してもよいものである。
【００３５】
【発明の効果】
以上詳述した構成を有する本発明の検査用光ディスクは、その異なる種類（偏心検査用光ディスクと面振れ検査用光ディスクと偏心及び面振れ検査用光ディスク）を共用部品（センターコア及びディスク本体）を用いてそれぞれ作製できるので、生産コスト及び生産効率に優れるという効果を得る。
【図面の簡単な説明】
【図１】本発明の検査用光ディスク各部の寸法形状を示すための部分縦断面図である。
【図２】本発明の検査用光ディスクを偏心検査用光ディスクとして形成したときの各部の寸法形状を示するための部分縦断面図である。
【図３】本発明の検査用光ディスクを面振れ検査用光ディスクとして形成したときの各部の寸法形状を示す部分縦断面図である。
【図４】本発明の検査用光ディスクを偏心検査用光ディスク，面振れ検査用光ディスク及び偏心及び面振れ検査用光ディスクとしてそれぞれ形成する際の偏心調整及び面振れ調整に用いられる製作装置の平面図である。
【図５】図４の製作装置を用いた偏心調整を説明するための図である。
【図６】図４の製作装置を用いた面振れ調整を説明するための図である。
【図７】本発明の検査用光ディスクを偏心及び面振れ検査用光ディスクとして形成したときの各部の寸法形状を示するための部分縦断面図である。
【符号の説明】
１  検査用光ディスク
２  偏心検査用光ディスク
３  面振れ検査用光ディスク
４  偏心及び面振れ検査用光ディスク
１Ａ  センターコア
１Ａ１  スピンドルホール
１Ａ２  コア側肉薄部
１Ａ３  クランピング領域
１Ｂ  ディスク本体
１Ｂ１  情報トラック領域
１Ｂ２  本体側肉薄部
１Ｂ４  収容ホール（開口部）
５  接着剤
３０  製作装置
３０Ａ  センターコアテーブル
３０Ｂ  クランパ
３０Ｃ  ディスクテーブル
３０Ｄ  ディスククランパー
３０Ｅ〜３０Ｈ  偏心調整スケール
３０Ｉ，３０Ｊ  面振れ調整スケール
ａ  一方の面側（矢印方向）
Ａ  最小接着幅
Ｂ  ディスク中心点
Ｃ  面振れ基準点
Ｄ１  （センターコアの）小なる外径
Ｄ２  （ディスク本体の）小径
Ｄ３  （センターコアの）大径
Ｄ４  （ディスク本体の）大径
Ｄ５  （ディスク本体の）外径
Ｅ  偏心量
Ｓ１，Ｓ２  最小接着剤注入幅
φａ  ノズル径
Ｈ１  センターコア厚み
Ｈ２  ディスク本体厚み
Ｈ３  （ディスク本体）固着部厚み
Ｈ４  （センターコア）固着部厚み
ｈ１，ｈ２，ｈ５  接着厚み
ｈ３  面振れ量
ｒ１  （面振れ基準点Ｃまでの）径
【図１】
2004206853.tif 000003
【図２】
2004206853.tif 000004
【図３】
2004206853.tif 000005
【図４】
2004206853.tif 000006
【図５】
2004206853.tif 000007
【図６】
2004206853.tif 000008
【図７】
2004206853.tif 000009